(57)【要約】【課題】設置およびメンテナンスの容易な、直流電力用の配電装置および配電システムを提供する。【解決手段】容器１０内に収納され、直流電力源（太陽電池１０１）に接続される第１のＤＣ／ＤＣコンバータ１１１と、交流電力源（商用電源１０５）に接続されるＡＣ／ＤＣコンバータ１１３と、蓄電池１０２と、前記蓄電池１０２に接続された第２のＤＣ／ＤＣコンバータ１１２と、前記第１および第２のＤＣ／ＤＣコンバータ１１１，１１２、ＡＣ／ＤＣコンバータ１１３の少なくとも一つに接続された保護回路（プロテクタ）１１６と、前記容器１０から導出された直流負荷用配電路１０７とを具備した配電装置を提供する。【選択図】図２
2011083045.tif 000002
【特許請求の範囲】
【請求項１】
容器内に収納され、
直流電力源に接続される第１のＤＣ／ＤＣコンバータと、
交流電力源に接続されるＡＣ／ＤＣコンバータと、
蓄電池と、前記蓄電池に接続された第２のＤＣ／ＤＣコンバータと、
前記第１および第２のＤＣ／ＤＣコンバータ、ＡＣ／ＤＣコンバータの少なくとも一つに接続された保護回路と、
前記容器から導出された直流負荷用配線とを具備した配電装置。
【請求項２】
請求項１に記載の配電装置であって、
前記第１および第２のＤＣ／ＤＣコンバータ、ＡＣ／ＤＣコンバータは、それぞれ所定の間隔で水平方向に並置された配電装置。
【請求項３】
請求項２に記載の配電装置であって、
前記蓄電池は、前記第１および第２のＤＣ／ＤＣコンバータ、前記ＡＣ／ＤＣコンバータのいずれの上部にも位置しないように配置される配電装置。
【請求項４】
請求項１乃至３のいずれかに記載の配電装置であって、
前記蓄電池は、前記容器に対し、着脱自在に装着された配電装置。
【請求項５】
請求項４に記載の配電装置であって、
前記第２のＤＣ／ＤＣコンバータは、コネクタ接続によって前記蓄電池と接続可能に構成された配電装置。
【請求項６】
請求項１乃至５のいずれかに記載の配電装置であって、
さらに、前記第１および第２のＤＣ／ＤＣコンバータ、前記ＡＣ／ＤＣコンバータのいずれから出力を行うかを制御する制御部と、
給電状態を表示する表示部と、
前記直流または交流電力源、あるいは前記保護装置のＯＮ／ＯＦＦを操作する操作部とを具備した配電装置。
【請求項７】
請求項１乃至６のいずれかに記載の配電装置であって、
前記直流負荷への第１の配線を接続する第１の端子台と、
前記直流電力源からの第２の配線を接続する第２の端子台とを具備し、
前記第１及び第２の端子台の形状または色、
前記第１及び第２の配線の色のいずれかが相互に識別可能に構成された配電装置。
【請求項８】
請求項１乃至７のいずれかに記載の配電装置を用いた配電システムであって、
蓄電池増設用の端子を有する配電システム。
【請求項９】
請求項８に記載の配電システムであって、
蓄電池と蓄電池用のＤＣ／ＤＣコンバータとを具備した複数の蓄電池ユニットを具備した配電システム。
【請求項１０】
請求項１乃至７のいずれかに記載の配電装置を複数配列した配電システム。
【発明の詳細な説明】
【技術分野】
【０００１】
本発明は、配電装置およびこれを用いた配電システムにかかり、特に直流電力源から供給される直流電力を負荷機器に配電する機能を備えた配電装置および配電システムに関する。
【背景技術】
【０００２】
従来、住宅、店舗、オフィスビルなどの建物において、交流電力と直流電力とを配電する配電システムとして、例えば特許文献１に記載のものがある。この配電システムは、自家発電用として太陽光発電装置のような直流発電設備を建物に設置し、直流発電設備の直流電力出力を交流電力に電力変換して電力会社から供給される商用電力源（交流電力系統）と系統連系運転を行う系統連系システムである。
【０００３】
この種の系統連系システムでは、直流発電設備で発電された直流電力を、直流電力から交流電力に変換する電力変換器（パワーコンディショナ）により交流電力に変換することによって、交流電力源である商用電力源と協調させる構成を採用している。そして、建物内の負荷で消費される電力を超える電力が直流発電設備から供給されている場合、余剰分の電力を商用電力源に逆潮流させること（いわゆる、売電）が可能となるように構成している。
【０００４】
また、直流負荷機器に直流電力を供給する配電システムとして、例えば特許文献２に記載の電力供給システムが提案されている。この電力供給システムは、直流電力供給部と直流負荷機器の端末装置との間で通信を行い、給電制御手段によって、端末装置から通知された受電電力源情報と動作情報記憶手段が保持している動作電力源情報とを比較し、直流負荷機器が駆動に必要な電圧及び電流を受電できるように出力電圧を制御するものである。
【先行技術文献】
【特許文献】
【０００５】
【特許文献１】特開２００３−２８４２４５号公報
【特許文献２】特開２００９−１５９６９０号公報
【発明の概要】
【発明が解決しようとする課題】
【０００６】
このような直流電力を配電するための配電システムの電力源には、太陽光発電装置または燃料電池のような直流発電設備、蓄電池、商用電力源など、複数の電力源が用いられるため、これらを想定した配電システムが必要となる。この場合、それぞれの電力源に対してＤＣ／ＤＣコンバータ、ＡＣ／ＤＣコンバータ等の出力用コンバータが設けられ、各出力用コンバータから所定の電圧レベルの直流電力を出力するような構成が一般的である。
このように多数の電力源を用いて、配電するため、それぞれの電力源に対してＤＣ／ＤＣコンバータ、ＡＣ／ＤＣコンバータ等の出力用コンバータが必要となるため、これらの設置および、メンテナンスなどの管理を簡単かつ安全にする必要がある。
特に、直流用分電盤は、交流用分電盤と異なり、出力用コンバータを多数設置する必要があり、発熱を伴うことから、放熱性が問題となる。
【０００７】
また、従来と異なり、分電盤に、交流電力源からの交流入力端子、太陽電池などの直流電力源からの直流入力端子、直流機器に出力される直流出力端子が混在し、これらの誤接続は、機器の破損だけでなく、重大な事故につながる可能性があり、危険を伴うという問題があった。
加えて、住宅設備としては新たな追加が増えることになり、現存の住宅設備に加えて増改築をする場合にも、柔軟な対応が求められている。
【０００８】
本発明は、前記実情に鑑みてなされたもので、設置およびメンテナンスの容易な、直流電力用の配電装置および配電システムを提供することを目的とする。
また、放熱性に優れ、温度上昇の少ない配電装置を提供することを目的とする。
また、誤接続を低減し、安全な配電装置を提供することを目的とする。
【課題を解決するための手段】
【０００９】
そこで本発明の配電装置は、容器内に収納され、直流電力源に接続される第１のＤＣ／ＤＣコンバータと、交流電力源に接続されるＡＣ／ＤＣコンバータと、蓄電池と、前記蓄電池に接続された第２のＤＣ／ＤＣコンバータと、前記第１および第２のＤＣ／ＤＣコンバータ、ＡＣ／ＤＣコンバータの少なくとも一つに接続された保護回路と、前記容器から導出された直流負荷用配線とを具備したことを特徴とする。
この構成によれば、直流電力源からの電力供給に必要な要素を１つのユニットで構成し、容器内に収容することができるため、取扱が容易でかつ、設置やメンテナンスが一か所でできるため取扱がきわめて容易である。
【００１０】
また、本発明は、上記配電装置において、前記第１および第２のＤＣ／ＤＣコンバータ、ＡＣ／ＤＣコンバータは、それぞれ所定の間隔で水平方向に並置されたものを含む。
この構成によれば、発熱を伴う第１および第２のＤＣ／ＤＣコンバータ、ＡＣ／ＤＣコンバータは、水平方向に並置されているため、放熱性が良好である。また、各コンバータ間に放熱板あるいは放熱フィンを配置することで、更に放熱性を高めることができる。
【００１１】
また、本発明は、上記配電装置において、前記蓄電池は、前記第１および第２のＤＣ／ＤＣコンバータ、前記ＡＣ／ＤＣコンバータのいずれの上部にも位置しないように配置される。
この構成によれば、これにより、放熱性を阻害することなく良好に維持することができる。
【００１２】
また、本発明は、上記配電装置において、前記蓄電池は、前記容器に対し、着脱自在に装着されたものを含む。
この構成により、蓄電池の劣化や、能力アップ等により取り換えが必要な場合にも、蓄電池が着脱自在に構成されているため、メンテナンスが容易である。
【００１３】
また、本発明は、上記配電装置において、前記第２のＤＣ／ＤＣコンバータは、コネクタ接続によって前記蓄電池と接続可能に構成されたものを含む。
この構成により、蓄電池の劣化や、能力アップ等により取り換えが必要な場合にも、蓄電池が着脱自在に構成されているため、メンテナンスが容易である。また、外部の蓄電池との接続を行う場合にもコネクタ接続がなされているため、着脱が容易である。
【００１４】
また、本発明は、上記配電装置において、蓄電池と蓄電池用のＤＣ／ＤＣコンバータとを具備した複数の蓄電池ユニットを具備したものを含む。
この構成により、必要に応じた蓄電池の増設が容易となる。
【００１５】
また、本発明は、上記配電装置において、さらに、前記第１および第２のＤＣ／ＤＣコンバータ、前記ＡＣ／ＤＣコンバータのいずれから出力を行うかを制御する制御部と、給電状態を表示する表示部と、前記直流または交流電力源、あるいは前記保護装置のＯＮ／ＯＦＦを操作する操作部とを具備したものを含む。
この構成により、制御部、表示部、操作部が配電装置の容器の外表面などに配置されていることで、作業性が良好である。
【００１６】
また、本発明は、上記配電装置において、前記直流負荷への第１の配線を接続する第１の端子台と、前記直流電力源からの第２の配線を接続する第２の端子台とを具備し、前記第１及び第２の端子台の形状または色、前記第１及び第２の配線の色のいずれかが相互に識別可能に構成されたものを含む。
この構成によれば、誤接続を回避することができ、信頼性の高い接続が容易となる。
【００１７】
また、本発明は、上記配電システムにおいて、蓄電池増設用の端子を有するものを含む。
この構成によれば、大出力の蓄電池を増設するなど、必要に応じて蓄電池の増設が容易となる。
【００１８】
また、本発明は、上記配電装置を複数配列し、配電システムを構成する。
この構成によれば、高機能の設備が駆動でき、信頼性が高く小型の配電システムを提供することが可能となる。
【発明の効果】
【００１９】
以上説明してきたように、本発明の配電装置によれば、太陽光発電や燃料電池などの直流電力源からの電力と、商用電力源からの電力とを用いて、直流用機器に電力供給するに際し、操作が容易でかつ、１つのユニットで実行可能である。
【図面の簡単な説明】
【００２０】
【図１】本発明の実施の形態１に係る配電装置を示す外観概要図
【図２】本発明の実施の形態１に係る配電装置の分電盤を示す斜視図
【図３】本発明の実施の形態１に係る配電システムの構成を示すブロック図
【図４】本発明の実施の形態２に係る配電システムの構成を示すブロック図
【図５】本発明の実施の形態３に係る配電システムの構成を示すブロック図
【発明を実施するための形態】
【００２１】
以下、本発明に係る配電装置を戸建て住宅に適用した実施の形態について図面を参照しながら詳細に説明する。但し、本発明に係る配電システムが適用可能な建物は戸建て住宅に限定されるものではなく、集合住宅の各住戸や事務所等にも適用可能である。
図１は本発明の実施の形態に係る配電装置を示す外観概要図、図２は同配電装置の分電盤を示す斜視図、図３は同配電装置を用いた配電システムの構成を示すブロック図である。
本実施の形態の配電システムは、太陽電池及び蓄電池を備え交流電力と直流電力を配電可能としたハイブリッド配電システムに適用した構成例である。
【００２２】
この配電装置は、直流分電盤１１０を構成するものである。この配電装置は、図１乃至３に示すように、容器１０内に収納され、直流電力源としての太陽電池１０１に接続される第１のＤＣ／ＤＣコンバータ（太陽電池用コンバータ）１１１と、交流電力源としての商用電源（交流電力系統）１０５に接続されるＡＣ／ＤＣコンバータ１１３と、蓄電池１０２と、蓄電池１０２に接続される第２のＤＣ／ＤＣコンバータ（蓄電池用コンバータ）１１２と、これら太陽電池用コンバータ１１１、蓄電池用コンバータ１１２、ＡＣ／ＤＣコンバータ１１３に接続された保護回路としてのプロテクタ１１６と、直流分電盤１１０を構成する容器１０から導出された直流負荷用配電路１０７とを具備したことを特徴とする。
【００２３】
ここで、太陽電池用コンバータ１１１、蓄電池用コンバータ１１２、ＡＣ／ＤＣコンバータ１１３は、それぞれ所定の間隔で水平方向に並置され、図２に示すように、これら太陽電池用コンバータ１１１、蓄電池用コンバータ１１２、ＡＣ／ＤＣコンバータ１１３の間には放熱フィン４００を配置している。
【００２４】
さらに、蓄電池１０２は、図１に示すように、蓄電池ケース２２に収納され、容器１０に対し、係止部１２２を介して着脱自在に装着されている。また、蓄電池用のコンタクトは、分電盤の基板に直接接続しても良いがコネクタ１３２によりコネクタ接続で蓄電池と接続されている。このため、蓄電池の劣化や、能力アップ等により取り換えが必要な場合にも、メンテナンスが容易である。また、外部の蓄電池との接続を行う場合にもコネクタ接続がなされているため、着脱が容易である。また蓄電池用コンバータ１１２についても、分電盤の基板にコネクタ接続しても良い（この点については後述する）。
【００２５】
そして、この配電装置を用いた配電システムは、図３に示すように、交流配電路１０６を介して交流負荷機器に交流電力を配電する交流分電盤１０４と、直流負荷用配電路１０７を介して直流負荷機器に直流電力を配電する直流配電装置を構成する直流分電盤１１０とを備えている。交流分電盤１０４は、入力端に交流電力源である商用電源１０５とパワーコンディショナ１０３とが接続され、出力端に交流配電路１０６と直流分電盤１１０とが接続されている。交流分電盤１０４は、商用電源１０５またはパワーコンディショナ１０３から供給される交流電力を分岐して交流配電路１０６と直流分電盤１１０に交流電力を出力する。
【００２６】
配電システムの直流電力源としては、太陽電池１０１と蓄電池１０２とを備えている。
ここで蓄電池１０２は、直流分電盤１１０に装着されているが、外部に増設し、付加電源として用いることも可能である。蓄電池１０２を外部に増設する例については後述する。太陽電池１０１は、太陽光を受光して光電変換することで発電を行い直流電力を出力するもので、直流発電設備の一例としての太陽光発電装置を構成している。蓄電池１０２は、直流電力の蓄電及び蓄電した直流電力の出力が可能な二次電池により構成される。直流分電盤１１０は、入力端に太陽電池１０１、交流分電盤１０４が接続され、出力端に直流負荷用配電路１０７が接続されている。直流分電盤１１０は、出力用コンバータとして太陽電池用コンバータ１１１、蓄電池用コンバータ１１２、ＡＣ／ＤＣコンバータ１１３を備え、さらに制御部１１４、表示部１１５を有して構成される。
【００２７】
太陽電池１０１の出力線路は２つに分岐され、パワーコンディショナ１０３と直流分電盤１１０の太陽電池用コンバータ１１１とが並列接続されている。パワーコンディショナ１０３は、太陽電池１０１から出力される直流電力を商用電源１０５の位相に同期した交流電力に変換して出力するとともに、変換された交流電力を商用電源１０５に逆潮流する。太陽電池用コンバータ１１１は、ＤＣ／ＤＣコンバータを有して構成され、太陽電池１０１から出力される直流電力を所望の電圧レベルに変換して出力する。蓄電池用コンバータ１１２は、ＤＣ／ＤＣコンバータを有して構成され、蓄電池１０２から出力される直流電力を所望の電圧レベルに変換して出力する一方で蓄電池１０２の充電を行う。ＡＣ／ＤＣコンバータ１１３は、交流分電盤１０４から供給される交流電力を所望の電圧レベルの直流電力に変換して出力する。
【００２８】
パワーコンディショナ１０３は、太陽電池１０１の直流出力を昇圧する昇圧チョッパ回路（図示せず）、昇圧チョッパ回路で昇圧された直流出力を交流電力系統ＡＣの位相に同期した正弦波の交流出力に変換するインバータ（図示せず）、インバータを制御することで交流出力を調整するインバータ制御回路（図示せず）、系統連系保護装置などを有している。
【００２９】
交流分電盤１０４は、いわゆる住宅用分電盤（住宅盤）と同様に、扉付のボックス内に１次側が商用電源１０５に接続された主幹ブレーカ（図示せず）、及び主幹ブレーカの２次側に接続された導電バー（図示せず）に分岐接続された複数の分岐ブレーカ等が収納される。さらに、交流分電盤１０４のボックス内にパワーコンディショナ１０３の出力線が引き込まれ、ボックス内においてパワーコンディショナ１０３の出力線が商用電源１０５に並列接続されている。また、分岐ブレーカの２次側に交流配電路１０６が接続され、この交流配電路１０６を介して宅内の交流負荷機器に交流電力が供給される。
【００３０】
直流分電盤１１０は、交流分電盤１０４と同様に、扉付の容器１０内に収納される。そして、商用電源１０５の出力が交流分電盤１０４を介して、引き込まれるとともに、太陽電池１０１の出力が引き込まれ、それぞれ、ＡＣ／ＤＣコンバータ１１３および太陽電池用ＤＣ／ＤＣコンバータ１１１に引き込まれ、直流負荷用配電路１０７を介して直流負荷機器２０７に直流電力が供給される。
【００３１】
直流分電盤１１０において、太陽電池用コンバータ１１１及び蓄電池用コンバータ１１２は、それぞれ、例えばスイッチングレギュレータ等により構成され、出力電圧を検出するとともに検出した出力電圧が目標電圧と一致するように出力電圧を増減する制御（フィードバック制御）を行う定電圧制御方式によって、太陽電池１０１及び蓄電池１０２から出力される直流電力の電圧レベルを所望の電圧レベルに変換する。ＡＣ／ＤＣコンバータ１１３は、例えばスイッチングレギュレータ、インバータ等により構成され、交流電圧を直流電圧に整流し、フィードバック制御により出力電圧の定電圧制御を行うことによって、交流分電盤１０４より出力される交流電力から所望の電圧レベルの直流電力に変換する。太陽電池用コンバータ１１１、蓄電池用コンバータ１１２、ＡＣ／ＤＣコンバータ１１３の各出力端は並列接続され、電流ヒューズからなるプロテクタ１１６を介して直流負荷用配電路１０７と接続され、この直流負荷用配電路１０７には必要に応じて更に外付けの保護回路（図示せず）が設けられる。そして、太陽電池用コンバータ１１１、蓄電池用コンバータ１１２、ＡＣ／ＤＣコンバータ１１３の各出力用コンバータでそれぞれ所望の電圧レベルに変換された直流電力のうち、いずれかの直流電力が直流負荷用配電路１０７を介して直流負荷機器２０７に供給される。
【００３２】
制御部１１４は、マイクロコンピュータ等を有してなる情報処理装置により構成され、直流分電盤１１０の各部の動作制御を司るものである。制御部１１４は、太陽電池用コンバータ１１１、蓄電池用コンバータ１１２、ＡＣ／ＤＣコンバータ１１３の各コンバータの動作のＯＮ／ＯＦＦ制御、並びに出力電圧制御を行うとともに、表示部１１５の表示制御を行う。表示部１１５は、液晶表示装置等により構成され、制御部１１４の指示に基づき、文字、数字、画像等によって直流分電盤１１０の動作状態等の各種情報を示す表示を行う。また操作部３００を有しており、この操作部３００を介して、運転、異常の状況、各計測項目、異常履歴の表示、時計の設定などをおこなうことができる。また、異常履歴には異常がおこる直前の太陽電池電圧、蓄電池電圧、交流電圧、出力電力および異常発生時刻を同時に保存することができる。更にまた、操作部としては、直流分電盤１１０に取り付けたものだけでなく、遠隔操作部（リモコンや家庭内のパソコン）を用い、ＤＬＣ（直流電力線通信）用端子３１０を介して上記設定を行うようにしてもよい。
【００３３】
ここでパワーコンディショナ１０３は、一般的な太陽光発電電力の逆潮流機能のほか、夜間の蓄電池充電機能，昼間の蓄電池放電機能（逆潮流防止）を備えていることもあり、太陽光発電電力と夜間電力の双方を有効に利用することができる。
【００３４】
なお、蓄電池からの放電電力は系統への逆潮流が認められていないため，負荷の使用状況に合わせて放電電力を変化させる必要がある。例えば、系統の受電点に取り付けられた受電電力検出ユニットにより系統に流れる電力を検出し、蓄電池からの逆潮流が発生しないように逆潮流防止制御をおこなう。
【００３５】
この構成によれば、直流電力源からの電力供給に必要な要素を直流分電盤として、１つのユニットで構成し、容器内に収容することができるため、取扱が容易でかつ、設置やメンテナンスが一か所でできるため取扱がきわめて容易である。
【００３６】
また、発熱を伴う太陽電池用コンバータ１１１、蓄電池用コンバータ１１２、ＡＣ／ＤＣコンバータ１１３は、図１および２に示すように、水平方向に並置されているため、放熱性が良好である。また、各コンバータ間に放熱板あるいは放熱フィン４００を配置しているため、更に放熱性を高めることができる。
【００３７】
また、蓄電池１０２は、太陽電池用コンバータ１１１、蓄電池用コンバータ１１２、ＡＣ／ＤＣコンバータ１１３のいずれの上部にも位置しないように配置されているため、蓄電池の存在によって、太陽電池用コンバータ１１１、蓄電池用コンバータ１１２、ＡＣ／ＤＣコンバータ１１３の放熱性を阻害することなく良好に維持することができる。
【００３８】
また、蓄電池は、前記容器に対し、着脱自在に装着することで、蓄電池の劣化や、能力アップ等により取り換えが必要な場合にも、メンテナンスが容易である。
【００３９】
さらにまた、太陽電池用コンバータ１１１、蓄電池用コンバータ１１２、ＡＣ／ＤＣコンバータ１１３のいずれから出力を行うかを制御する制御部１１４と、給電状態を表示する表示部１１５と、前記直流または交流電力源、あるいは前記保護装置のＯＮ／ＯＦＦを操作する操作部３００とを具備しているため、作業性が良好である。
【００４０】
なお、蓄電池用のＤＣ／ＤＣコンバータ１１２は、コネクタ接続によって蓄電池１０２と接続可能に構成することで、外部の蓄電池との接続を行う場合にも、着脱が容易である。また、蓄電池の劣化や、能力アップ等により取り換えが必要な場合にも、蓄電池１０２および蓄電池用のＤＣ／ＤＣコンバータ１１２を着脱自在に構成すれば、メンテナンスが容易となる。
【００４１】
また、誤接続を回避するために、直流負荷機器２０７への直流負荷用配線路１０７に接続される第１の端子台３０７と、直流電力源からの配線路２０１を接続する第２の端子台３０１と、交流電力源からの交流配電路２０５に接続する第３の端子台３０５とは、端子台の形状または色、各配線路の色のいずれかが相互に識別可能に構成されるのが望ましい。形状を変えて、誤接続の場合は、相互に結線できないようにするとなお安全である。
【００４２】
（実施の形態２）
次に本発明の実施の形態２として、蓄電池ユニットを増設する場合について説明する。
図４に、この配電システムのブロック図を示すように、直流分電盤１１０に蓄電池用コネクタ２００を設けておき、この蓄電池用コネクタ２００を介して外部の蓄電池１０２Ｓを接続するようにしてもよい。他の構成については図３に示した配電システムと同様であるため、ここでは説明を省略する。なお、操作部を設けていないが、図示しない遠隔操作部でＤＬＣ用端子を通じて操作するように構成されている。
【００４３】
この構成によれば、例えば増改築により、太陽電池の能力が増大し、蓄電池を大容量にしたい場合など、太陽電池の能力に合わせて蓄電池を増設することが出来る。
【００４４】
（実施の形態３）
次に本発明の実施の形態３として、蓄電池ユニットを増設する場合について説明する。
前記実施の形態２では、蓄電池のみを増設したが、本実施の形態では、蓄電池用コンバータ１１２Ｓと外部の蓄電池１０２Ｓとを１ユニットとし、蓄電池ユニット２１０を直流分電盤１１０に接続可能に構成したものである。すなわち図５に、この配電システムのブロック図を示すように、直流分電盤１１０に蓄電池ユニット用コネクタ２１１を設けておき、この蓄電池ユニット用コネクタ２１１を介して外部の蓄電池ユニット２１０を接続するものである。他の構成については図３に示した配電システムと同様であるため、ここでは説明を省略する。
【００４５】
この場合、蓄電池用コンバータの能力が小さい場合にも、蓄電池ユニットとして増設することができるため、設計の制約が大幅に低減される。
このように、本実施の形態によれば、蓄電池と蓄電池用のＤＣ／ＤＣコンバータとを具備した蓄電池ユニットを構成しておき、これを着脱可能に構成することで、必要に応じた蓄電池の増設が容易となる。また上述したように、蓄電池増設用の端子として蓄電池ユニット用コネクタ２１１を配設しているため、大出力の蓄電池を増設するなど、必要に応じて蓄電池の増設が容易となる。
【符号の説明】
【００４６】
１０  容器
２２  蓄電池ケース
１０１  太陽電池
１０２、１０２Ｓ  蓄電池
１０３  パワーコンディショナ
１０４  交流分電盤
１０５  商用電源（交流電力系統）
１０６  交流配電路
１０７  直流負荷用配電路
１１０  直流分電盤
１１１  第１のＤＣ／ＤＣコンバータ（太陽電池用コンバータ）
１１２、１１２Ｓ  第２のＤＣ／ＤＣコンバータ（蓄電池用コンバータ）
１１３  ＡＣ／ＤＣコンバータ
１１４  制御部
１１５  表示部
１１６  プロテクタ
１２２  係止部
１３２  コネクタ
２００  蓄電池用コネクタ
２０１  直流電力源からの配電路
２０５  交流電力源からの交流配電路
２１０  蓄電池ユニット
２１１  蓄電池ユニット用コネクタ
３００  操作部
３０１  第３の端子台
３０５  第２の端子台
３０７  第１の端子台
３１０  ＤＬＣ用端子
４００  放熱フィン
【図１】
2011083045.tif 000003
【図２】
2011083045.tif 000004
【図３】
2011083045.tif 000005
【図４】
2011083045.tif 000006
【図５】
2011083045.tif 000007